(57)【要約】【課題】下肢の任意の高さまでの領域をミスト浴できる足浴装置の提供を課題とする。【解決手段】下肢を暖める足浴装置を、内部に両足を収める加温槽と、前記加温槽にミストを供給するミスト発生装置と、前記加温槽に一端が接続されたジャバラ状の筒であって、下肢を覆う長手方向に伸縮して多端の口が任意の高さで下肢の周囲に固定される固定手段を有する下肢カバーと、から構成する。また、前記加温槽の深さがくるぶし程度であり、かつ前記下肢カバーは、おのおのに片脚を入れる２本のジャバラ状の筒とする。【選択図】　図１
2004113641.tif 000002
【特許請求の範囲】
【請求項１】
内部に両足を収める加温槽と、
前記加温槽にミストを供給するミスト発生装置と、
前記加温槽に一端が接続されたジャバラ状の筒であって、下肢を覆う長手方向に伸縮して多端の口が任意の高さで下肢の周囲に固定される固定手段を有する下肢カバーと、
から成ることを特徴とする足浴装置。
【請求項２】
前記加温槽の深さがくるぶし程度であり、かつ前記下肢カバーが、おのおのに片脚を入れる２本のジャバラ状の筒であることを特徴とする請求項１に記載の足浴装置。
【請求項３】
前記下肢カバーの固定手段が、下肢カバーの多端に設けたゴム、紐、ファスナー、フック、等で下肢の周囲を絞めるという手段であることを特徴とする、請求項１乃至２に記載の足浴装置。
【請求項４】
前記下肢カバーの固定手段が、下肢カバーの多端に穴のある弾性体の膜を設け、その穴に片脚または両脚を入れて、膜の伸びを利用して脚と膜を密着させるという手段であることを特徴とする、請求項１乃至２に記載の足浴装置。
【発明の詳細な説明】
【０００１】
【発明の属する技術分野】
本発明は、足浴装置に係り、特に下肢の任意の高さまでをミスト浴する足浴装置に関する。
【０００２】
【従来の技術】
従来より、居室等で手軽に下肢をミスト等でサウナ浴するための、足浴装置が提案されている。従来の足浴装置としては、例えば特許文献１、２のようなサウナカバーを用いて下肢をサウナ浴するものが知られている。これらは、サウナカバーが常に一定の形状を有し、足浴装置使用者は膝下などの決められた部位をカバー内部に挿入して使用するもとなっていた。
【０００３】
【特許文献１】
特開２０００−２７１１８８（図２、図８）
【特許文献２】
特開２００１−２７６１６８（図５）
【０００４】
【発明が解決しようとする課題】
このような従来のサウナカバーでは、カバーの形状が一定に決まっており、例えば膝下用の装置を使用する場合、常に膝下全体を温めなければならなかった。よって、足先だけが冷える場合でも、くるぶしから先の足の部分だけなど、好みの部位だけで使用することができないという問題があった。
また、膝下を出している服装でしか使用できないため、使用時には膝下の露出できるスカートや半ズボンなどを着用しなければならなかった。特に下肢を温めたくなる冬場に、膝下を露出する服装をしなければならないことは、使用者に寒さを感じさせるという問題があった。
本発明は、このような問題に鑑みなされたもので、下肢の任意の高さまでの領域をミスト浴できる足浴装置の提供を課題とする。
【０００５】
【課題を解決するための手段と作用・効果】
本発明は、前記課題を解決するため、以下の手順を採用した。
すなわち、本発明は、下肢を覆う手段として伸縮するジャバラ状下肢カバーを用い、さらに前記下肢カバーを足首から膝の間の、任意の高さで固定することをその要旨とする。
ここで、ジャバラ状とは、伸縮するひだ状のものであり、例えば、組み立て式のカメラでレンズ取り付け部と本体をつないでいる部分の形状がこれにあたる。
【０００６】
本発明は、内部に両足を収める加温槽と、前記加温槽にミストを供給するミスト発生装置と、前記加温槽に一端が接続されたジャバラ状の筒であって、下肢を覆う長手方向に伸縮して多端の口が任意の高さで下肢の周囲に固定される固定手段を有する下肢カバーと、から成ることを特徴とする。
加温槽と下肢カバーで封止された空間である足浴空間にミストを充満させ、下肢の加熱・冷却や、蒸らし、水分補給、保湿などを行う。
下肢カバーは、ジャバラ状の筒であるため、伸縮が自在で、長さが自由に調節できる。また、多端の口を任意の高さで下肢の周囲に固定させることにより、使用者が簡便に、上記足浴空間に含まれる下肢を所望の領域に調整することが出来るようにしている。よって、本発明の使用者は、下肢の任意の高さまでの領域をミスト浴する事ができる。
【０００７】
本発明の好ましい態様においては、前記加温槽の深さがくるぶし程度であり、かつ前記下肢カバーは、おのおのに片脚を入れる２本のジャバラ状の筒が好適に利用できる。
この様態においては、左右の下肢カバーは独立に高さが調節できるので、左右で異なる高さで使用することが可能である。よって、片足に怪我をしている場合などにも、片足だけ使用したり、片足を短くして怪我の部位を避けて使用することができる。
【０００８】
本発明の好ましい態様においては、上記下肢カバーにおいて、一端の口を下肢の周囲に固定する手段は、下肢カバーの一端に設けたゴム、紐、ファスナー（面ファスナーも含む）、フック、等で下肢の周囲を絞めるという手段が好適に利用できる。この様態においては、使用者は、簡便に下肢カバーを下肢の所望の位置で固定する事ができる。
【０００９】
本発明の好ましい態様においては、上記下肢カバーにおいて、一端の口を下肢の周囲に固定する手段は、下肢カバーの一端に穴のある弾性体の膜を設け、その穴に片脚または両脚を入れて、膜の伸びを利用して脚と膜を密着させるという手段が好適に利用できる。この様態においては、弾性体の部分を上下にスライドさせるだけで、非常に簡便に、下肢カバー上端の位置決めと固定が出来る。
なお、以上述べた各構成は、本発明の趣旨を逸脱しないかぎり、互いに組み合わせることが可能である。
【００１０】
また別の作用効果として、下肢カバーが、ジャバラ状の筒であることから、ジャバラを折りたたむことにより、簡単な操作で、コンパクトに収納可能となった。
【００１１】
また別の作用効果として、下肢カバーが、おのおのに片脚を入れる２本のジャバラ状の筒であることから、従来の足浴装置より安全性が向上した。
従来の足浴装置では、使用時に膝付近が固定され下肢の動きが制限されるので、バランスを崩した場合などに装置ごと転倒しやすく危険だという問題があった。本発明では、下肢カバーが、おのおのに片脚を入れる２本のジャバラ状の筒であるため、足部を加温槽に収めている限り、下肢を自由に動かすことが出来、体の動きの自由度が高い。よって、体のバランスを崩しにくく、万一転倒した場合にも、体をかばう姿勢になることが可能であり、怪我や事故がおこりにくく、従来の足浴装置よりも安全性が向上された。
【００１２】
また別の作用効果として、下肢カバーが、おのおのに片脚を入れる２本のジャバラ状の筒であることから、使用時の体勢がより自由に変えられるようになり、使用時の疲労が軽減された。
従来の足浴装置では、使用時に膝周りを固定されるため、常に一定の体勢を維持する必要があり、それによって使用者が疲れたり、肩や腰がこるという問題があった。本発明では、下肢カバーが、おのおのに片脚を入れる２本のジャバラ状の筒であるため、足部を加温槽に収めている限り、下肢を自由に動かすことが出来、体の動きがより自由になる。よって、使用者が足の曲げ方や両脚間の距離などの体勢を自由に変えることができ、従来の足浴装置より疲れにくくなった。
【００１３】
【発明の実施の形態】
以下、本発明の実施形態について図面を用いて説明する。
【００１４】
本発明の実施形態１について、図１を参照しながら説明する。図１は、同実施形態の足浴装置の構成図である。
【００１５】
図１において、１１は内部に両足の一部又は全体を収める加温槽、１２は加温槽１１にミストを供給するミスト発生装置、１３はミスト発生装置２から加温槽内部にミストを供給する給気手段、１４は加温槽１１に接続され、下肢を覆う長手方向に伸縮するジャバラ状の下肢カバー、下肢カバー１４の一端の口に設けられ、任意の高さで下肢の周囲に固定される固定手段である。
【００１６】
下肢カバー１４は、ジャバラ状であるため、長手方向に伸縮可能であり、固定手段１５により下肢の周囲に固定された時の長さを維持する。
【００１７】
次に、使用方法について説明する。使用者はいす等に腰掛け、下肢カバー１４を通して加温槽１１に足を収める。その際、加温槽１１、給気手段１３、下肢カバー１４、固定手段１５の人体と接触する部分には鋭利な角がない形状としてあるので、使用者は安心して足浴装置に下肢を挿入できる。その後、下肢カバー１４を所望の長さまで伸ばし、固定手段１５により下肢の周囲に固定する。
ミスト浴開始時に、ミスト発生装置１２によりミストを発生させ、給気手段１３により、加温槽１１および下肢カバー１４の内部にミストを供給することにより、下肢のミスト浴を行う。
【００１８】
次に、作用について説明する。使用者は、下肢のミスト浴をしたい領域を自由に決定し、その高さまで下肢カバーを伸ばせば良く、使用時の服装の制限もなく、下肢の必要な領域だけに快適にミスト浴を行う事ができる。
【００１９】
本発明の実施形態２について、図２を参照しながら説明する。図２は、同実施形態の足浴装置の構成図である。
【００２０】
実施形態２は、実施形態１の下肢カバー１４の形状を変更したものである。図２において、２１は内部に両足の一部又は全体を収める加温槽、２２は加温槽２１にミストを供給するミスト発生装置、２３はミスト発生装置２から加温槽内部にミストを供給する給気手段、２４は加温槽２１に接続され、下肢を覆う長手方向に伸縮するジャバラ状の下肢カバー、２５は下肢カバー２４の一端の口に設けられ、任意の高さで下肢の周囲に固定される固定手段である。
加温槽２１は、深さがくるぶし程度であり、かつ前記下肢カバー２４は、おのおのに片脚を入れる２本のジャバラ状の筒である。
【００２１】
次に、使用方法について説明する。使用者はいす等に腰掛け、下肢カバー２４を通して加温槽２１に足を収める。その際、加温槽２１、給気手段２３、下肢カバー２４、固定手段２５の人体と接触する部分には鋭利な角がない形状としてあるので、使用者は安心して足浴装置に下肢を挿入できる。その後、下肢カバー２４を所望の長さまで伸ばし、固定手段２５により下肢の周囲に固定する。
ミスト浴開始時に、ミスト発生装置２２によりミストを発生させ、給気手段２３により、加温槽２１および下肢カバー２４の内部にミストを供給することにより、下肢のミスト浴を行う。
【００２２】
以上のように形成された実施形態２における足浴装置は、実施形態１の作用に加えて以下の作用を有する。
（１）左右異なる高さで固定することができるため、左右で異なる領域をミスト浴する事ができる。
【００２３】
本発明の実施形態３について、図３及び図４を参照しながら説明する。図３は同実施形態の足浴装置の構成図、図４は同実施形態における固定手段５の詳細図である。
【００２４】
実施形態３は、実施形態１の固定手段５を防水布、ゴム、紐で構成したものである。図３において、固定手段３５は、下肢周囲にゴムで軽く固定されており、さらに紐で位置がずれないようにしっかり固定されている。
【００２５】
図３において、３１は内部に両足の一部又は全体を収める加温槽、３２は加温槽３１にミストを供給するミスト発生装置、３３はミスト発生装置３２から加温槽内部にミストを供給する給気手段、３４は加温槽３１に接続され、下肢を覆う長手方向に伸縮するジャバラ状の下肢カバー、下肢カバー３４の一端の口に設けられ、任意の高さで下肢の周囲に固定される固定手段である。
【００２６】
図４において、固定手段３５の具体構成を示す。３４は下肢カバー、４２は防水布、４３は紐通し縫い目、４４は固定紐穴、４５はゴム紐、４６は固定紐、４７は紐通しである。防水布４２は、筒状に成形されており、一端の周が下肢カバー３４の周に固定されている。多端は折り返されて、紐通し縫い目４３で周を縫い、紐通し４７を設けている。紐通し４７を一周して下肢周囲長程度の長さの輪状のゴム紐４５が通されている。紐通し４７には、２つの固定紐穴４４が設けてあり、固定紐４６はこの片方の固定紐穴４４から紐通し４７に入り、紐通し４７を一周して他方の固定紐穴４４から出ている。なお、ゴム紐４５は伸縮性、固定紐４６は非伸縮性である。
【００２７】
次に、使用方法について説明する。使用者はいす等に腰掛け、下肢カバー３４を通して加温槽３１に足を収める。その際、加温槽３１、給気手段３３、下肢カバー３４、固定手段３５の人体と接触する部分には鋭利な角がない形状としてあるので、使用者は安心して足浴装置に下肢を挿入できる。その後、下肢カバー３４を所望の長さまで伸ばし、固定手段３５により下肢の周囲に固定する。
ミスト浴開始時に、ミスト発生装置３２によりミストを発生させ、給気手段３３により、加温槽３１および下肢カバー３４の内部にミストを供給することにより、下肢のミスト浴を行う。
固定手段３５の使用方法は、以下の通りである。使用者は固定手段３５に足を挿入し、まず固定手段３５の位置決めをする。使用者は、固定手段３５を所望の高さまで引き上げる。この時、ゴム紐４５が、ゆるく下肢を絞め、下肢カバー３４は引き上げられたまま、固定手段３５により軽く固定される。つぎに、固定紐４６を結ぶ。この紐は非伸縮性であるため、固定紐４６を結ぶことにより、下肢カバー３４は下にずれることなく下肢に固定される。
使用者は、下肢のミスト浴をしたい領域を自由に決定し、その高さまで下肢カバーを伸ばせば良く、使用時の服装の制限もなく快適にミスト浴を行う事ができる。
【００２８】
以上のように形成された実施形態３における足浴装置は、実施形態１の作用に加えて以下の作用を有する。
（１）ゴム紐４５により軽く固定されるため、位置決めをしやすい。
（２）固定紐４６により、下肢カバーが下肢の周囲にしっかり固定されるため、使用中に下肢カバーがずれない。
【００２９】
本発明の実施形態４について、図５及び図６を参照しながら説明する。図５は同実施形態の足浴装置の構成図、図６は同実施形態における固定手段５５の詳細図である。
【００３０】
実施形態４は、実施形態１の固定手段５を、下肢カバー４の一端に穴のある弾性体の膜を設け、その穴に片脚または両脚を入れて、膜の伸びを利用して脚と膜を密着させるという手段としたものである。
【００３１】
図５において、５１は内部に両足の一部又は全体を収める加温槽、５２は加温槽５１にミストを供給するミスト発生装置、５３はミスト発生装置５２から加温槽内部にミストを供給する給気手段、５４は加温槽５１に接続され、下肢を覆う長手方向に伸縮するジャバラ状の下肢カバー、下肢カバー５４の一端の口に設けられ、任意の高さで下肢の周囲に固定される固定手段である。
【００３２】
図６において、固定手段５の具体構成を示す。６１は弾性体の膜、６２は足入れ穴である。
【００３３】
次に、使用方法について説明する。使用者はいす等に腰掛け、下肢カバー５４を通して加温槽５１に足を収める。その際、加温槽５１、給気手段５３、下肢カバー５４、固定手段５５の人体と接触する部分には鋭利な角がない形状としてあるので、使用者は安心して足浴装置に下肢を挿入できる。その後、下肢カバー５４を所望の長さまで伸ばし、固定手段５５により下肢の周囲に固定する。
ミスト浴開始時に、ミスト発生装置５２によりミストを発生させ、給気手段５３により、加温槽５１および下肢カバー５４の内部にミストを供給することにより、下肢のミスト浴を行う。
固定手段５５の使用方法は、以下の通りである。使用者は、足入れ穴６２に下肢を装入し、固定手段５５を所望の高さまで引き上げる。この時、弾性体の膜６１が、下肢を絞め、下肢カバー３４は引き上げられたまま、固定手段３５により、下にずれることなく下肢に固定される。
使用者は、下肢のミスト浴をしたい領域を自由に決定し、その高さまで下肢カバーを伸ばせば良く、使用時の服装の制限もなく快適にミスト浴を行う事ができる。
【００３４】
以上のように形成された実施形態３における足浴装置は、実施形態１の作用に加えて以下の作用を有する。
（１）弾性体の膜６１を上下するだけという非常に簡単な動作で、下肢カバーを任意の位置に固定できる。
【図面の簡単な説明】
【図１】本発明の実施形態１の全体を示す図
【図２】本発明の実施形態２の全体を示す図
【図３】本発明の実施形態３の全体をを示す図
【図４】本発明の実施形態３の下肢カバーと固定手段を示す図
【図５】本発明の一実施形態を示す図
【図６】本発明の実施形態４の固定手段を示す図
【符号の説明】
１１　加温槽
１２　ミスト発生装置
１３　給気手段
１４　下肢カバー
１５　固定手段
２１　加温槽
２２　ミスト発生装置
２３　給気手段
２４　下肢カバー
２５　固定手段
３１　加温槽
３２　ミスト発生装置
３３　給気手段
３４　下肢カバー
３５　固定手段
３４　下肢カバー
４２　防水布
４３　紐通し縫い目
４４　固定紐穴
４５　ゴム紐
４６　固定紐
４７　紐通し
５１　加温槽
５２　ミスト発生装置
５３　給気手段
５４　下肢カバー
５５　固定手段
６１　弾性体の膜
６２　足入れ穴
【図１】
2004113641.tif 000003
【図２】
2004113641.tif 000004
【図３】
2004113641.tif 000005
【図４】
2004113641.tif 000006
【図５】
2004113641.tif 000007
【図６】
2004113641.tif 000008